(57)【要約】【課題】複数のチューナを有効に利用し、デジタル放送チャンネルのスキャンや切り替えに要する時間を短縮すること。【解決手段】スキャンを実行する場合にはデジタルチューナ１１，１２にそれぞれ異なるチャンネルを割り当てて分担して実行し、放送を受信する場合にはデジタルチューナ１１，１２で同一のチャンネルを受信してダイバシティ合成部２３で合成する。放送受信中にサーチやスキャンを実行する場合には、一方のチューナを放送の受信に、他方のチューナをサーチやスキャンに割り当てる。表示するチャンネルを切り替える場合には一方のチューナを切り替え前のチャンネルにセットし、他方のチャンネルを切り替え後のチャンネルにセットした状態で表示切替を実行する。【選択図】      図１
2005045508.tif 000002
【特許請求の範囲】
【請求項１】
第１のチューナおよび第２のチューナを使用してそれぞれ無線放送を受信する受信装置であって、
前記第１のチューナと第２のチューナとを独立に若しくは協働して動作させ、チャンネルのスキャン、サーチおよび受信を実行させるチューナ管理手段を備えたことを特徴とする受信装置。
【請求項２】
前記第１のチューナおよび前記第２のチューナは、デジタル放送を受信するデジタルチューナであることを特徴とする請求項１に記載の受信装置。
【請求項３】
前記チューナ管理手段は、前記スキャンを実行させる場合に、前記第１のチューナと前記第２のチューナとにそれぞれ異なるチャンネルの受信判定を割り当てることを特徴とする請求項１または２に記載の受信装置。
【請求項４】
前記チューナ管理手段は、前記受信を実行させる場合に、前記第１のチューナおよび前記第２のチューナに同一のチャンネルを受信させ、前記第１のチューナおよび前記第２のチューナの受信結果を合成することを特徴とする請求項１，２または３に記載の受信装置。
【請求項５】
前記チューナ管理手段は、前記第１のチューナおよび前記第２のチューナの一方に受信を実行させ、他方に前記サーチを実行させることを特徴とする請求項１〜４のいずれか一つに記載の受信装置。
【請求項６】
前記チューナ管理手段は、前記サーチによって受信可能なチャンネルを検出した場合に、受信可能なチャンネルを検出したことを示す表示をおこなうことを特徴とする請求項５に記載の受信装置。
【請求項７】
前記チューナ管理手段は、前記受信可能なチャンネルを検出したことを示す表示として、前記検出したチャンネルの放送内容を出力することを特徴とする請求項５または６に記載の受信装置。
【請求項８】
前記チューナ管理手段は、前記第１のチューナおよび前記第２のチューナの一方が出力用の放送を受信している場合に、他方のチューナにサーチおよび／またはチャンネル切り替え用の放送の受信を常に実行させることを特徴とする請求項５，６または７に記載の受信装置。
【請求項９】
前記チューナ管理手段は、出力する放送を切り替える場合に、前記第１のチューナおよび前記第２のチューナの一方に切り替え前の放送を受信させ、他方のチューナにチャンネル切り替え後の放送を受信させることを特徴とする請求項１〜８のいずれか一つに記載の受信装置。
【請求項１０】
第１のチューナおよび第２のチューナを使用してそれぞれ無線放送を受信する受信方法であって、
前記第１のチューナと第２のチューナとを独立に若しくは協働して動作させ、チャンネルのスキャン、サーチおよび受信を実行させるチューナ管理工程を含んだことを特徴とする受信方法。
【請求項１１】
前記第１のチューナおよび前記第２のチューナは、デジタル放送を受信するデジタルチューナであることを特徴とする請求項１０に記載の受信方法。
【請求項１２】
前記チューナ管理工程は、前記スキャンを実行させる場合に、前記第１のチューナと前記第２のチューナとにそれぞれ異なるチャンネルの受信判定を割り当てることを特徴とする請求項１０または１１に記載の受信方法。
【請求項１３】
前記チューナ管理工程は、前記受信を実行させる場合に、前記第１のチューナおよび前記第２のチューナに同一のチャンネルを受信させ、前記第１のチューナおよび前記第２のチューナの受信結果を合成することを特徴とする請求項１０，１１または１２に記載の受信方法。
【請求項１４】
前記チューナ管理工程は、前記第１のチューナおよび前記第２のチューナの一方に受信を実行させ、他方に前記サーチを実行させることを特徴とする請求項１０〜１３のいずれか一つに記載の受信方法。
【請求項１５】
前記チューナ管理工程は、前記サーチによって受信可能なチャンネルを検出した場合に、受信可能なチャンネルを検出したことを示す表示をおこなうことを特徴とする請求項１４に記載の受信方法。
【請求項１６】
前記チューナ管理工程は、前記受信可能なチャンネルを検出したことを示す表示として、前記検出したチャンネルの放送内容を出力することを特徴とする請求項１４または１５に記載の受信方法。
【請求項１７】
前記チューナ管理工程は、前記第１のチューナおよび前記第２のチューナの一方が出力用の放送を受信している場合に、他方のチューナにサーチおよび／またはチャンネル切り替え用の放送の受信を常に実行させることを特徴とする請求項１４，１５または１６に記載の受信方法。
【請求項１８】
前記チューナ管理工程は、出力する放送を切り替える場合に、前記第１のチューナおよび前記第２のチューナの一方に切り替え前の放送を受信させ、他方のチューナにチャンネル切り替え後の放送を受信させることを特徴とする請求項１０〜１７のいずれか一つに記載の受信方法。
【発明の詳細な説明】
【０００１】
【発明の属する技術分野】
この発明は、複数のチューナを使用して無線放送を受信する受信装置およびその受信方法に関し、特にチャンネルのスキャンや切り替えに要する時間を短縮可能な受信装置および受信方法に関する。
【０００２】
【従来の技術】
近年、映像番組をデジタル化して放送するデジタルテレビ放送が実用化されている。デジタル放送では、高画質化、多チャンネル化、双方向化が実現できるという利点があるので、従来から衛星デジタル放送が行われているのに加え、地上波アナログ放送をデジタル放送に移行させるなどその利用が広がっている。
【０００３】
ところで、チューナがあるチャンネルを受信している場合、そのチューナでは他のチャンネルを受信することができない。そこで、車載テレビ装置のように位置によって放送が行われているチャンネルが変化する場合や、衛星放送受信装置のように受信状態が天候によって変化する場合など、スキャンやサーチが頻繁に必要となる場合には、スキャンやサーチの度に放送の視聴が不可能になるという問題があった。
【０００４】
この問題を解決すべく、特許文献１に示したデジタル放送受信方法では、複数のチューナを設け、一のチューナで一の局を受信中に他のチューナで他の局をサーチする方法が開示されている。
【０００５】
【特許文献１】
特開２００２−３２０１６５号公報
【０００６】
【発明が解決しようとする課題】
しかしながら、上述した従来技術では、常にサーチを必要とする状況が想定されており、サーチが必要ない状態における複数のチューナの利用は考慮されておらず、複数のチューナの利用方法が限定されていた。
【０００７】
一方で、デジタル放送では、チューナが受信チャンネルを切り替えた場合に１秒程度の時間が必要となる。特に、切替先のチャンネル周波数が特定できておらず、受信可能なチャンネルを探して表示する（サーチする）場合や、所定の周波数帯から放送の行われているチャンネルを全て探す（スキャンする）場合には、この時間が大きな負担となる。
【０００８】
すなわち、従来の技術では、複数のチューナが有効に利用されていないという問題点と、デジタル放送チャンネルのサーチやスキャンに長い時間が必要となるという問題点とがあった。
【０００９】
本発明は、上述した従来技術による問題点を解消し、課題を解決するためになされたものであり、複数のチューナを有効に利用し、デジタル放送チャンネルのスキャンや切り替えに要する時間を短縮可能な受信装置および受信方法を提供することを目的とする。
【００１０】
【課題を解決するための手段】
上述した課題を解決し、目的を達成するため、請求項１の発明に係る受信装置は、第１のチューナおよび第２のチューナを使用してそれぞれ無線放送を受信する受信装置であって、前記第１のチューナと第２のチューナとを独立に若しくは協働して動作させ、チャンネルのスキャン、サーチおよび受信を実行させるチューナ管理手段を備えたことを特徴とする。
【００１１】
この請求項１の発明によれば、受信装置は、チャンネルのスキャン、サーチおよび受信を実行する場合に、第１のチューナと第２のチューナとを独立に若しくは協働して動作させる。
【００１２】
また、請求項２の発明に係る受信装置は、請求項１の発明において、前記第１のチューナおよび前記第２のチューナは、デジタル放送を受信するデジタルチューナであることを特徴とする。
【００１３】
この請求項２の発明によれば受信装置は、デジタル放送チャンネルのスキャン、サーチおよび受信を実行する場合に、第１のチューナと第２のチューナとを独立に若しくは協働して動作させる。
【００１４】
また、請求項３の発明に係る受信装置は、請求項１または２の発明において、前記チューナ管理手段は、前記スキャンを実行させる場合に、前記第１のチューナと前記第２のチューナとにそれぞれ異なるチャンネルの受信判定を割り当てることを特徴とする。
【００１５】
この請求項３の発明によれば受信装置は、チャンネルのスキャンを実行する場合に、第１のチューナと第２のチューナとにそれぞれ異なるチャンネルの受信判定を割り当てる。
【００１６】
また、請求項４の発明に係る受信装置は、請求項１，２または３の発明において、前記チューナ管理手段は、前記受信を実行させる場合に、前記第１のチューナおよび前記第２のチューナに同一のチャンネルを受信させ、前記第１のチューナおよび前記第２のチューナの受信結果を合成することを特徴とする。
【００１７】
この請求項４の発明によれば受信装置は、チャンネルのスキャンを実行する場合に、第１のチューナと第２のチューナとに同一のチャンネルを受信させ、それぞれの受信結果を合成する。
【００１８】
また、請求項５の発明に係る受信装置は、請求項１〜４の発明において、前記チューナ管理手段は、前記第１のチューナおよび前記第２のチューナの一方に受信を実行させ、他方に前記サーチを実行させることを特徴とする。
【００１９】
この請求項５の発明によれば受信装置は、チャンネルのサーチを実行する場合に、第１のチューナおよび第２のチューナの一方に受信を実行させ、他方にサーチを実行させる。
【００２０】
また、請求項６の発明に係る受信装置は、請求項５の発明において、前記チューナ管理手段は、前記サーチによって受信可能なチャンネルを検出した場合に、受信可能なチャンネルを検出したことを示す表示をおこなうことを特徴とする。
【００２１】
この請求項６の発明によれば受信装置は、第１のチューナおよび第２のチューナの一方に受信を実行させ、他方にサーチを実行させ、サーチの結果を表示する。
【００２２】
また、請求項７の発明に係る受信装置は、請求項５または６の発明において、前記チューナ管理手段は、前記受信可能なチャンネルを検出したことを示す表示として、前記検出したチャンネルの放送内容を出力することを特徴とする。
【００２３】
この請求項７の発明によれば受信装置は、第１のチューナおよび第２のチューナの一方に受信を実行させ、他方にサーチを実行させ、サーチによって受信可能なチャンネルを検出したならば、その内容を表示する。
【００２４】
また、請求項８の発明に係る受信装置は、請求項５，６または７の発明において、前記チューナ管理手段は、前記第１のチューナおよび前記第２のチューナの一方が出力用の放送を受信している場合に、他方のチューナにサーチおよび／またはチャンネル切り替え用の放送の受信を常に実行させることを特徴とする。
【００２５】
この請求項８の発明によれば受信装置は、第１のチューナおよび第２のチューナの一方が出力用の放送を受信している場合に、他方のチューナにサーチおよびプリセットを常に実行させる。
【００２６】
また、請求項９の発明に係る受信装置は、請求項１〜８の発明において、前記チューナ管理手段は、出力する放送を切り替える場合に、前記第１のチューナおよび前記第２のチューナの一方に切り替え前の放送を受信させ、他方のチューナにチャンネル切り替え後の放送を受信させることを特徴とする。
【００２７】
この請求項９の発明によれば受信装置は、第１のチューナおよび第２のチューナの一方に切り替え前の放送を受信させ、他方のチューナにチャンネル切り替え後の放送を受信させた状態でチャンネルの切り替えを行う。
【００２８】
また、請求項１０の発明に係る受信方法は、第１のチューナおよび第２のチューナを使用してそれぞれ無線放送を受信する受信方法であって、前記第１のチューナと第２のチューナとを独立に若しくは協働して動作させ、チャンネルのスキャン、サーチおよび受信を実行させるチューナ管理工程を含んだことを特徴とする。
【００２９】
この請求項１０の発明によれば受信方法は、チャンネルのスキャン、サーチおよび受信を実行する場合に、第１のチューナと第２のチューナとを独立に若しくは協働して動作させる。
【００３０】
また、請求項１１の発明に係る受信方法は、請求項１０の発明において、前記第１のチューナおよび前記第２のチューナは、デジタル放送を受信するデジタルチューナであることを特徴とする。
【００３１】
この請求項１１の発明によれば受信方法は、デジタル放送チャンネルのスキャン、サーチおよび受信を実行する場合に、第１のチューナと第２のチューナとを独立に若しくは協働して動作させる。
【００３２】
また、請求項１２の発明に係る受信方法は、請求項１０または１１の発明において、前記チューナ管理工程は、前記スキャンを実行させる場合に、前記第１のチューナと前記第２のチューナとにそれぞれ異なるチャンネルの受信判定を割り当てることを特徴とする。
【００３３】
この請求項１２の発明によれば受信方法は、チャンネルのスキャンを実行する場合に、第１のチューナと第２のチューナとにそれぞれ異なるチャンネルの受信判定を割り当てる。
【００３４】
また、請求項１３の発明に係る受信方法は、請求項１０，１１または１２の発明において、前記チューナ管理工程は、前記受信を実行させる場合に、前記第１のチューナおよび前記第２のチューナに同一のチャンネルを受信させ、前記第１のチューナおよび前記第２のチューナの受信結果を合成することを特徴とする。
【００３５】
この請求項１３の発明によれば受信方法は、チャンネルのスキャンを実行する場合に、第１のチューナと第２のチューナとに同一のチャンネルを受信させ、それぞれの受信結果を合成する。
【００３６】
また、請求項１４の発明に係る受信方法は、請求項１０〜１３の発明において、前記チューナ管理工程は、前記第１のチューナおよび前記第２のチューナの一方に受信を実行させ、他方に前記サーチを実行させることを特徴とする。
【００３７】
この請求項１４の発明によれば受信方法は、チャンネルのサーチを実行する場合に、第１のチューナおよび第２のチューナの一方に受信を実行させ、他方にサーチを実行させる。
【００３８】
また、請求項１５の発明に係る受信方法は、請求項１４の発明において、前記チューナ管理工程は、前記サーチによって受信可能なチャンネルを検出した場合に、受信可能なチャンネルを検出したことを示す表示をおこなうことを特徴とする。
【００３９】
この請求項１５の発明によれば受信方法は、第１のチューナおよび第２のチューナの一方に受信を実行させ、他方にサーチを実行させ、サーチの結果を表示する。
【００４０】
また、請求項１６の発明に係る受信方法は、請求項１４または１５の発明において、前記チューナ管理工程は、前記受信可能なチャンネルを検出したことを示す表示として、前記検出したチャンネルの放送内容を出力することを特徴とする。
【００４１】
この請求項１６の発明によれば受信方法は、第１のチューナおよび第２のチューナの一方に受信を実行させ、他方にサーチを実行させ、サーチによって受信可能なチャンネルを検出したならば、その内容を表示する。
【００４２】
また、請求項１７の発明に係る受信方法は、請求項１４，１５または１６の発明において、前記チューナ管理工程は、前記第１のチューナおよび前記第２のチューナの一方が出力用の放送を受信している場合に、他方のチューナにサーチおよび／またはチャンネル切り替え用の放送の受信を常に実行させることを特徴とする。
【００４３】
この請求項１７の発明によれば受信方法は、第１のチューナおよび第２のチューナの一方が出力用の放送を受信している場合に、他方のチューナにサーチおよびプリセットを常に実行させる。
【００４４】
また、請求項１８の発明に係る受信方法は、請求項１０〜１７の発明において、前記チューナ管理工程は、出力する放送を切り替える場合に、前記第１のチューナおよび前記第２のチューナの一方に切り替え前の放送を受信させ、他方のチューナにチャンネル切り替え後の放送を受信させることを特徴とする。
【００４５】
この請求項１８の発明によれば受信方法は、第１のチューナおよび第２のチューナの一方に切り替え前の放送を受信させ、他方のチューナにチャンネル切り替え後の放送を受信させた状態でチャンネルの切り替えを行う。
【００４６】
【発明の実施の形態】
以下に添付図面を参照し、この発明に係る受信装置および受信方法の好適な実施の形態である車載テレビ装置について説明する。
【００４７】
まず、本実施の形態にかかる車載テレビ装置１０の概要構成について説明する。図１は、本実施の形態にかかる車載テレビ装置の概要構成を示す概要構成図である。図１において車載テレビ装置１０は、アンテナ１，２、デジタルチューナ１１，１２、ＡＧＣ（ａｕｔｏｍａｔｉｃ  ｇａｉｎ  ｃｏｎｔｒｏｌ）１３，１５、ＡＤＣ（Ａｎａｌｏｇ−ｔｏ−Ｄｉｇｉｔａｌ  Ｃｏｎｖｅｒｔｅｒ）１４，１６、データシンボル読み出し部１７，１８、主制御部２０、切替部２１，２２、ダイバシティ合成部２３、復号処理部２４、ＭＰＥＧデコーダ２５、表示制御部２６およびモニタ２７を有する。
【００４８】
デジタルチューナ１１は、アンテナ１と接続され、所定の周波数（チャンネル）の放送を受信してＡＤＣ１４に出力する。ＡＤＣ１４は、デジタルチューナ１１が受信した受信電波をデジタル信号に変換してデータシンボル読み出し部１７に出力する。データシンボル読み出し部１７は、ＡＤＣ１４によってデジタル化された受信電波からデータシンボルを読み出して切替部２１に出力する。またＡＧＣ１３は、データシンボル読み出し部１７と接続され、受信電波の強度（受信強度）をもとにデジタルチューナ１１の利得制御を行う。
【００４９】
同様に、デジタルチューナ１２は、アンテナ２と接続され、所定の周波数（チャンネル）の放送を受信してＡＤＣ１６に出力する。ＡＤＣ１６は、デジタルチューナ１２が受信した受信電波をデジタル信号に変換してデータシンボル読み出し部１８に出力する。データシンボル読み出し部１８は、ＡＤＣ１６によってデジタル化された受信電波からデータシンボルを読み出して切替部２２に出力する。またＡＧＣ１５は、データシンボル読み出し部１８と接続され、受信電波の強度（受信強度）をもとにデジタルチューナ１２の利得制御を行う。
【００５０】
切替部２１は、データシンボル読み出し部１７によって読み出されたデータシンボルをダイバシティ合成部２３または復号処理部２４に出力する。同様に、切替部２２は、データシンボル読み出し部１７によって読み出されたデータシンボルをダイバシティ合成部２３または復号処理部２４に出力する。
【００５１】
ダイバシティ合成部２３は、切替部２１を介してデータシンボル読み出し部１７から入力されたデータシンボルと、切替部２２を介してデータシンボル読み出し部１８から入力されたデータシンボルとを合成して復号処理部２４に出力する。
【００５２】
復号処理部２４は、切替部２１，２２からおよびダイバシティ合成部２３から入力されたデータシンボルに対して復号処理を実行し、ＴＳ（Ｔｒａｎｓｐｏｒｔ  Ｓｔｒｅａｍ）パケットを取り出す。ＭＰＥＧデコーダ２５は、このＴＳパケットを動画データに変換して表示制御部２６に出力する。表示制御部２６は、ＭＰＥＧデコーダ２５が出力した動画データをもとに、表示画面を作成してモニタ２７に表示する。
【００５３】
主制御部２０は、車載テレビ装置１０を全体制御する制御部であり、その内部にチューナ管理部２０ａを有する。チューナ管理部２０ａは、デジタルチューナ１１，１２、切替部２１，２２および表示制御部２６を制御し、デジタルチューナ１１，１２を独立して、もしくは協働して動作させる。
【００５４】
具体的には、チューナ管理部２０ａは、デジタルチューナ１１，１２が受信するチャンネルをそれぞれ指定する。さらに切替部２１，２２を制御し、デジタルチューナ１１，１２に同一のチャンネルを受信させている場合にはデータシンボル１７，１８の出力をダイバシティ合成部２３に入力し、デジタルチューナ１１，１２にそれぞれ異なるチャンネルを受信させている場合には、データシンボル１７，１８の出力を復号処理部２４に直接入力する。また、デジタルチューナ１１，１２にそれぞれ異なるチャンネルを受信させている場合には、表示制御部２６を制御し、いずれかチューナが受信したチャンネルを表示させる。
【００５５】
このように、デジタルチューナ１１，１２に同一のチャンネルを受信させ、ダイバシティ合成部２３によって合成した場合、単一のチューナで受信する場合に比して受信品質を向上することができる。また、デジタルチューナ１１，１２にそれぞれ異なるチャンネルを受信させ、データシンボル１７，１８の出力を復号処理部２４に直接入力したならば、複数のチャンネルを同時に受信することが可能となる。
【００５６】
つづいて、チューナ管理部２０ａによるチューナの管理を具体的に説明する。まず、車載テレビ装置１０がスキャンを行う場合、チューナ管理部２０ａは、デジタルチューナ１１，１２を独立して制御することで、チャンネルのスキャンを高速化する。図２は、車載テレビ装置１０におけるスキャンを説明する説明図である。同図に示すように、チューナ管理部２０ａは、デジタルチューナ１１に１チャンネル、３チャンネル、５チャンネル、７チャンネルの受信判定を実行させ、デジタルチューナ１２に２チャンネル、４チャンネル、６チャンネル、８チャンネルの受信判定を実行させる。
【００５７】
このように、スキャン対象となる周波数帯から、デジタルチューナ１１，１２にそれぞれ異なるチャンネルの受信判定を割り当てることで、単一のチューナを使用したスキャンに比して２倍の高速化を実現することができる。
【００５８】
つぎに、車載テレビ装置１０におけるチャンネル切替について説明する。図３は、車載テレビ１０におけるチャンネル切替を説明する説明図である。同図に示すように、デジタルチューナ１１，１２が同一のチャンネルを受信している状態で、チャンネル切替の要求があったならば、チューナ管理部２０ａは、まず、デジタルチューナ１１に元のチャンネルの受信を継続させ、デジタルチューナ１２にチャンネルのサーチを実行させる。
【００５９】
このサーチによって放送を受信可能なチャンネルがみつかった後、チューナ管理部２０ａは、表示制御部２６を制御してモニタ２７に表示する放送を切り替える。さらに、チューナ管理部２０ａは、切替前のチャンネルを受信していたデジタルチューナ１１に対しても、デジタルチューナ１２が検出したチャンネルを受信させる。
【００６０】
チャンネル切り替えを実行する場合の車載テレビ装置１０の処理動作を図４に示す。同図に示すように、まず、車載テレビ装置１０がデジタルチューナ１１，１２の２つのチューナを使って指定された放送を受信している状態（ステップＳ１０１）において、ユーザからチャンネル変更の要求を受信したならば（ステップＳ１０２，Ｙｅｓ）、一方のチューナ（例えばデジタルチューナ１１）で受信を継続し、他方のチューナ（例えばデジタルチューナ１２）でサーチを実行する（ステップＳ１０４）。
【００６１】
ステップＳ１０４のサーチによって、受信可能なチャンネルが検出されたならば（ステップＳ１０５，Ｙｅｓ）、検出されたチャンネルを受信チャンネルとして指定し、２つのチューナを使ってそのチャンネルの受信を開始して（ステップＳ１０７）処理を終了する。
【００６２】
一方、ステップＳ１０４のサーチによって受信可能なチャンネルが見つからない場合（ステップＳ１０５，Ｎｏ）、「受信可能な他のチャンネルが検出できない」旨を表示し（ステップＳ１０６）、元のチャンネルの受信を継続する（ステップＳ１０３）。
【００６３】
また、チャンネルの変更要求を受信していない場合（ステップＳ１０２，Ｎｏ）も同様に、元のチャンネルの受信を継続する（ステップＳ１０３）。なお、この図４に示した処理は、放送受信時に繰り返し実行される処理であり、その間に他の処理を実行することもできる。
【００６４】
このように、車載テレビ装置１０では、ユーザからチャンネル切替要求を受信するまではデジタルチューナ１１，１２を協働させて高い品質で放送を受信することができ、また、チャンネル切替要求を受けてからサーチが終了するまでの間は、一方のチューナで放送の受信を継続することができるので、放送の視聴を中断することなくチャンネルの切り替えを行うことができる。さらに、チャンネル切替後は再びデジタルチューナ１１，１２を協働させて同一の放送を受信させることができるので、高品質の放送受信が実現できる。
【００６５】
ところで、放送の受信時は、必ずしもデジタルチューナ１１，１２を協働させ、同一のチャンネルにセットする必要はない。放送の受信を単一のチューナで実行することとすれば、他方のチューナで予めサーチとプリセットを実行し、ユーザからチャンネル切替指示があった場合に即座に次の放送を表示することができる。
【００６６】
図５は、一方のチューナを常にサーチおよびプリセットに使用する場合を説明する説明図である。同図に示すように、まず、デジタルチューナ１１が放送を受信していれば、デジタルチューナ１２はサーチを実行し、見つかったチャンネルにセットされる。ここで、デジタルチューナ１１が受信した放送はモニタ２７に表示されており、デジタルチューナ１２が受信している放送はモニタ２７に表示されていない。このデジタルチューナ１２による放送の受信は、チャンネルの切替に備えて予め受信しておく（プリセットする）ものである。
【００６７】
したがって、ユーザからチャンネル切替要求があった場合には、即座にモニタ２７の表示を切り替え、デジタルチューナ１２が受信した放送を表示することができる。その後、デジタルチューナ１２は、切り替え後のチャンネルの受信を継続する。一方、チューナ１１は、新たにサーチを実行し、放送を受信可能なチャンネルが検出された場合に、そのチャンネルにプリセットされる。
【００６８】
一方のチューナを常にサーチおよびプリセットに使用する場合の車載テレビ装置１０の処理動作を図６に示す。同図に示すように、車載テレビ装置１０は、デジタルチューナ１１，１２の一方で指定された放送を受信し、他方のチューナでサーチを実行する（ステップＳ２０１）。
【００６９】
ステップＳ２０１のサーチの結果、受信可能なチャンネルが見つからなければ（ステップＳ２０２，Ｎｏ）、「受信可能な他のチャンネルが検出できない」旨を表示し（ステップＳ２０７）、元のチャンネルの受信を継続する（ステップＳ２０５）。
【００７０】
一方、ステップＳ２０１のサーチの結果、受信可能なチャンネルが見つかったならば（ステップＳ２０２，Ｙｅｓ）、見つかったチャンネルをモニタ２７に表示する（ステップＳ２０３）。ここで、見つかったチャンネルの表示とは、切り替えが可能であることを示す表示であり、見つかったチャンネルの番号などを表示すればよい。
【００７１】
ステップＳ２０３終了後、ユーザからチャンネル変更の要求を受信したならば（ステップＳ２０４，Ｙｅｓ）、見つかったチャンネルを受信指定チャンネルに設定し（ステップＳ２０６）、そのチャンネルを一方のチューナで受信する。なお、他方のチューナは新たにサーチを実行する。
【００７２】
一方、チャンネル変更の要求を受信していないならば（ステップＳ２０４，Ｎｏ）、車載テレビ装置１０は、元のチャンネルの受信を継続する（ステップＳ２０５）。なお、この図６に示した処理は、放送受信時に繰り返し実行される処理であり、その間に他の処理を実行することもできる。
【００７３】
ここで、ステップＳ２０３として示した、見つかったチャンネル（プリセットチャンネル）の表示についてさらに説明する。図７は、プリセットチャンネルを表示する場合のモニタ画面の一例である。図７に示すように、モニタ２７は、表示領域３０，３１，３２を表示している。表示領域３０は、一方のチューナで受信した放送の内容を表示する表示領域として使用する。
【００７４】
一方、表示領域３１，３２は、他方のチューナがプリセット状態にあることを示す表示領域である。ここでは、表示領域３１はプリセット状態の放送内容を一時的に表示する（プレビュー）処理を実行する仮想的なボタンとして機能し、表示領域３２は、プリセット状態にあるチャンネルへの切り替え要求を受け付ける仮想的なボタンとして機能する。なお、モニタ２７に表示した表示領域を仮想的なボタンとして機能させるためには、タッチパネルディスプレイなどを用いればよい。
【００７５】
このように、車載テレビ装置１０では、一方のチューナで放送を受信・表示している場合に、他方のチューナでサーチおよびプリセットを行うので、ユーザからチャンネル切替指示があった場合に即座に次の放送を表示することができる。
【００７６】
つぎに、放送の視聴を中断することなくスキャンを実行する場合について説明する。図８は、放送の視聴とスキャンとを同時に実行する場合について説明する説明図である。同図に示すように、デジタルチューナ１１，１２が同一のチャンネルを受信している状態で、スキャンの要求があったならば、チューナ管理部２０ａは、まず、デジタルチューナ１１に元のチャンネルの受信を継続させ、デジタルチューナ１２にチャンネルのスキャンを実行させる。
【００７７】
チューナ管理部２０ａは、チューナ１２に、所定の周波数帯の全てのチャンネルに対して順次受信判定を実行させ、スキャンが終了した場合に再びもとのチャンネルを受信させる。
【００７８】
放送の視聴とスキャンとを同時に実行する場合の車載テレビ装置１０の処理動作を図９に示す。同図に示すように、まず、２つのチューナを使用して指定されたチャンネルを受信している状態で、スキャン開始要求を受信したならば、チューナ管理部２０ａは、一方のチューナに指定されたチャンネルの受信を継続させ、他方のチューナにスキャンを開始させる（ステップＳ３０１）。
【００７９】
チューナ管理部２０ａは、まず、周波数帯の最初のチャンネルを判定対象に設定し（ステップＳ３０２）、判定対象のチャンネルで放送を受信可能か否かを判定する（ステップＳ３０３）。判定対象のチャンネルで放送を受信可能である場合（ステップＳ３０３，Ｙｅｓ）、チューナ管理部２０ａは、出力制御部２６を制御し、受信可能なチャンネルをモニタ２７に表示する（ステップＳ３０４）。
【００８０】
ステップＳ３０４終了後、もしくは判定対象のチャンネルで放送を受信できない場合（ステップＳ３０３，Ｎｏ）、チューナ管理部２０ａは、周波数帯の全てのチャンネルに対して受信判定を終了したか否かを判定する（ステップＳ３０５）。
【００８１】
まだ受信判定が終了していないチャンネルが残っている場合（ステップＳ３０５，Ｎｏ）、チューナ管理部２０ａは、次のチャンネルを判定対象に設定し（ステップＳ３０６）、判定対象のチャンネルで放送を受信可能か否かを判定する（ステップＳ３０３）。
【００８２】
一方、周波数帯の全てのチャンネルに対して受信判定が終了した場合（ステップＳ３０５，Ｙｅｓ）、チューナ管理部２０ａは、モニタ２７に表示したチャンネルへの切り替えが指示されたか否かを判定する（ステップ３０７）。具体的には、この判定はチャンネルの切替え操作が一定時間以上無かった場合、あるいは「変更無し」を指定する操作があった場合などに、チャンネルの切替が指示されなかったと判定する。なおチャンネルの切替え操作や「変更無し」を指定する操作は、物理的に設けられたスイッチや、タッチパネルを利用してモニタ２７に表示したスイッチによって実行することができる。
【００８３】
モニタ２７に表示したチャンネルへの切り替えが指示された場合（ステップＳ３０７，Ｙｅｓ）、チューナ管理部２０ａは、指示されたチャンネルをチューナに受信させてその内容をモニタ２７に表示し、処理を終了する。
【００８４】
一方、モニタ２７に表示したチャンネルへの切り替えが指示されなかった場合（ステップＳ３０７，Ｎｏ）、チューナ管理部２０ａは、チューナに元のチャンネルを受信させて（ステップＳ３０９）、処理を終了する。
【００８５】
ここで、ステップＳ３０４として示した、受信可能なチャンネルのモニタ２７への表示についてさらに説明する。図１０は、受信可能なチャンネルを表示したモニタ画面の一例である。同図に示すように、モニタ２７は、表示領域３０，４１〜４６を有する。表示領域３０は、一方のチューナで受信した放送の内容を表示する表示領域として使用する。
【００８６】
一方、表示領域４１〜４６は、他方のチューナによって検出された受信可能なチャンネルを示す表示領域である。ここでは、各表示領域は、チャンネルの番号を表示することで、受信可能なチャンネルを示している。具体的には、表示領域４１は、２チャンネルが受信可能であることを示し、表示領域４１は、２チャンネルが受信可能であることを示している。また、表示領域４３は、８チャンネルが受信可能であることを示し、表示領域４４は、１０チャンネルが受信可能であることを示している。さらに、表示領域４５は、１２チャンネルが受信可能であることを示し、表示領域４６は、３６チャンネルが受信可能であることを示している。
【００８７】
なお、タッチパネルディスプレイなどを利用し、表示領域４１〜４６を仮想的なボタンとして構成すれば、表示領域４１〜４６に対する接触を検知し、受信チャンネルの切り替え要求として利用することができる。
【００８８】
ところで、検出した受信可能なチャンネルの表示は、チャンネル番号のみに限定されるものではない。例えば、ＭＰＥＧデコーダ２５に画像メモリを持たせ、受信可能なチャンネルの放送内容をそれぞれ記憶させていくことで、モニタ２７に受信可能な放送内容を一時的に表示することができる。図１１は、受信可能なチャンネルをプレビュー表示したモニタ画面の一例である。同図に示すように、モニタ２７は、表示領域３０，５１〜５８を有する。表示領域３０は、一方のチューナで受信した放送の内容を表示する表示領域として使用する。
【００８９】
一方、表示領域５１〜５８は、他方のチューナによって検出された受信可能なチャンネルをプレビュー表示する表示領域である。ここでは、各表示領域は、それぞれのチャンネルの放送内容を一時的に表示することで、受信可能なチャンネルを示している。なお、タッチパネルディスプレイなどを利用し、表示領域５１〜５８を仮想的なボタンとして構成としてもよい。
【００９０】
さらに、検出した受信可能なチャンネルの表示を行う際に、放送局名を表示するように構成してもよい。放送局名を表示する構成では、車載テレビ装置１０の内部にチャンネル番号と放送局とを対応付けるテーブルを記憶しておき、受信可能なチャンネルを検出したならば、そのチャンネル番号をキーとしてテーブルを検索することで、放送局を特定することができる。なお、車載テレビ装置のように位置によってチャンネル番号と放送局との対応関係が変化する場合には、それぞれの地域でのテーブルを記憶し、自車両の位置情報を取得していずれの地域のテーブルを使用するかを決定すればよい。
【００９１】
このように、車載テレビ装置１０では、ユーザからスキャンの要求を受信するまではデジタルチューナ１１，１２を協働させて高い品質で放送を受信することができ、また、スキャン要求を受けてからスキャンが終了するまでの間は、一方のチューナで放送の受信を継続することができるので、放送の視聴を中断することなくスキャンを行うことができる。さらに、スキャン終了後は再びデジタルチューナ１１，１２を協働させて同一の放送を受信させることができるので、高品質の放送受信が実現できる。
【００９２】
上述してきたように、本実施の形態に示した車載テレビ装置１０では、デジタルチューナ１１，１２に異なるチャンネルの受信判定を割り当てる高速スキャン、デジタルチューナ１１，１２に同一のチャンネルを受信させる高品質受信が実現でき、さらに、デジタルチューナ１１，１２の一方に放送を受信させ、他方に放送のサーチやスキャンを実行させることで、放送の視聴を中断することなくチャンネルのサーチ、スキャン、切り替えを実行することができる。
【００９３】
【発明の効果】
以上説明したように、請求項１の発明によれば、受信装置は、チャンネルのスキャン、サーチおよび受信を実行する場合に、第１のチューナと第２のチューナとを独立に若しくは協働して動作させるので、複数のチューナを有効に利用し、チャンネルのスキャンや切り替えに要する時間を短縮可能な受信装置が得られるという効果を奏する。
【００９４】
また、請求項２の発明によれば受信装置は、デジタル放送チャンネルのスキャン、サーチおよび受信を実行する場合に、第１のチューナと第２のチューナとを独立に若しくは協働して動作させるので、複数のチューナを有効に利用し、デジタル放送チャンネルのスキャンや切り替えに要する時間を短縮可能な受信装置が得られるという効果を奏する。
【００９５】
また、請求項３の発明によれば受信装置は、チャンネルのスキャンを実行する場合に、第１のチューナと第２のチューナとにそれぞれ異なるチャンネルの受信判定を割り当てるので、複数のチューナを有効に利用し、デジタル放送チャンネルのスキャン高速化した受信装置が得られるという効果を奏する。
【００９６】
また、請求項４の発明によれば受信装置は、チャンネルのスキャンを実行する場合に、第１のチューナと第２のチューナとに同一のチャンネルを受信させ、それぞれの受信結果を合成するので、複数のチューナを有効に利用し、デジタル放送を高品質に受信可能な受信装置が得られるという効果を奏する。
【００９７】
また、請求項５の発明によれば受信装置は、チャンネルのサーチを実行する場合に、第１のチューナおよび第２のチューナの一方に受信を実行させ、他方にサーチを実行させるので、複数のチューナを有効に利用し、放送の視聴を中断することなくチャンネルサーチを実行可能な受信装置が得られるという効果を奏する。
【００９８】
また、請求項６の発明によれば受信装置は、第１のチューナおよび第２のチューナの一方に受信を実行させ、他方にサーチを実行させ、サーチの結果を表示するので、放送の視聴を中断することなくチャンネル切り替え可能であるか否かをユーザに通知可能な受信装置が得られるという効果を奏する。
【００９９】
また、請求項７の発明によれば受信装置は、第１のチューナおよび第２のチューナの一方に受信を実行させ、他方にサーチを実行させ、サーチによって受信可能なチャンネルを検出したならば、その内容を表示するので、放送の視聴を中断することなく切り替え可能なチャンネルの放送内容をユーザに通知可能な受信装置が得られるという効果を奏する。
【０１００】
また、請求項８の発明によれば受信装置は、第１のチューナおよび第２のチューナの一方が出力用の放送を受信している場合に、他方のチューナにサーチおよびプリセットを常に実行させるので、ユーザが任意のタイミングでチャンネル切り替えを実行した場合であっても放送が中断する頻度を低減可能な受信装置が得られるという効果を奏する。
【０１０１】
また、請求項９の発明によれば受信装置は、第１のチューナおよび第２のチューナの一方に切り替え前の放送を受信させ、他方のチューナにチャンネル切り替え後の放送を受信させた状態でチャンネルの切り替えを行うので、放送の視聴を中断することなくチャンネル切り替えが可能な受信装置が得られるという効果を奏する。
【０１０２】
また、請求項１０の発明によれば受信方法は、チャンネルのスキャン、サーチおよび受信を実行する場合に、第１のチューナと第２のチューナとを独立に若しくは協働して動作させるので、複数のチューナを有効に利用し、チャンネルのスキャンや切り替えに要する時間を短縮可能な受信方法が得られるという効果を奏する。
【０１０３】
また、請求項１１の発明によれば受信方法は、デジタル放送チャンネルのスキャン、サーチおよび受信を実行する場合に、第１のチューナと第２のチューナとを独立に若しくは協働して動作させるので、複数のチューナを有効に利用し、デジタル放送チャンネルのスキャンや切り替えに要する時間を短縮可能な受信方法が得られるという効果を奏する。
【０１０４】
また、請求項１２の発明によれば受信方法は、チャンネルのスキャンを実行する場合に、第１のチューナと第２のチューナとにそれぞれ異なるチャンネルの受信判定を割り当てるので、複数のチューナを有効に利用し、デジタル放送チャンネルのスキャン高速化した受信方法が得られるという効果を奏する。
【０１０５】
また、請求項１３の発明によれば受信方法は、チャンネルのスキャンを実行する場合に、第１のチューナと第２のチューナとに同一のチャンネルを受信させ、それぞれの受信結果を合成するので、複数のチューナを有効に利用し、デジタル放送を高品質に受信可能な受信方法が得られるという効果を奏する。
【０１０６】
また、請求項１４の発明によれば受信方法は、チャンネルのサーチを実行する場合に、第１のチューナおよび第２のチューナの一方に受信を実行させ、他方にサーチを実行させるので、複数のチューナを有効に利用し、放送の視聴を中断することなくチャンネルサーチを実行可能な受信方法が得られるという効果を奏する。
【０１０７】
また、請求項１５の発明によれば受信方法は、第１のチューナおよび第２のチューナの一方に受信を実行させ、他方にサーチを実行させ、サーチの結果を表示するので、放送の視聴を中断することなくチャンネル切り替え可能であるか否かをユーザに通知可能な受信方法が得られるという効果を奏する。
【０１０８】
また、請求項１６の発明によれば受信方法は、第１のチューナおよび第２のチューナの一方に受信を実行させ、他方にサーチを実行させ、サーチによって受信可能なチャンネルを検出したならば、その内容を表示するので、放送の視聴を中断することなく切り替え可能なチャンネルの放送内容をユーザに通知可能な受信方法が得られるという効果を奏する。
【０１０９】
また、請求項１７の発明によれば受信方法は、第１のチューナおよび第２のチューナの一方が出力用の放送を受信している場合に、他方のチューナにサーチおよびプリセットを常に実行させるので、ユーザが任意のタイミングでチャンネル切り替えを実行した場合であっても放送が中断する頻度を低減可能な受信方法が得られるという効果を奏する。
【０１１０】
また、請求項１８の発明によれば受信方法は、第１のチューナおよび第２のチューナの一方に切り替え前の放送を受信させ、他方のチューナにチャンネル切り替え後の放送を受信させた状態でチャンネルの切り替えを行うので、放送の視聴を中断することなくチャンネル切り替えが可能な受信方法が得られるという効果を奏する。
【図面の簡単な説明】
【図１】本実施の形態にかかる車載テレビ装置の概要構成を示す概要構成図である。
【図２】図１に示した車載テレビ装置におけるスキャンを説明する説明図である。
【図３】図１に示した車載テレビにおけるチャンネル切替を説明する説明図である。
【図４】チャンネル切り替えを実行する場合の車載テレビ装置の処理動作を説明するフローチャートである。
【図５】一方のチューナを常にサーチおよびプリセットに使用する場合を説明する説明図である。
【図６】一方のチューナを常にサーチおよびプリセットに使用する場合の車載テレビ装置の処理動作を説明するフローチャートである。
【図７】プリセットチャンネルを表示する場合のモニタ画面を説明する説明図である。
【図８】放送の視聴とスキャンとを同時に実行する場合について説明する説明図である。
【図９】放送の視聴とスキャンとを同時に実行する場合の車載テレビ装置の処理動作を説明するフローチャートである。
【図１０】受信可能なチャンネルを表示したモニタ画面を説明する説明図である。
【図１１】受信可能なチャンネルをプレビュー表示したモニタ画面を説明する説明図である。
【符号の説明】
１，２    アンテナ
１０    車載テレビ装置
１１，１２    デジタルチューナ
１３，１５    ＡＧＣ
１４，１６    ＡＤＣ
１７，１８    データシンボル読み出し部
２０    主制御部
２０ａ  チューナ管理部
２１，２２    切替部
２３    ダイバシティ合成部
２４    復号処理部
２５    ＭＰＥＧデコーダ
２６    表示制御部
２７    モニタ
３０〜３２，４１〜４６，５１〜５８    表示領域
【図１】
2005045508.tif 000003
【図２】
2005045508.tif 000004
【図３】
2005045508.tif 000005
【図４】
2005045508.tif 000006
【図５】
2005045508.tif 000007
【図６】
2005045508.tif 000008
【図７】
2005045508.tif 000009
【図８】
2005045508.tif 000010
【図９】
2005045508.tif 000011
【図１０】
2005045508.tif 000012
【図１１】
2005045508.tif 000013